(57)【特許請求の範囲】
【請求項１】
画像データを格納するための画像データ格納手段と、
前記画像データ格納手段に格納された画像データの一覧表示を第１の表示形式により生成する第１の一覧表示生成手段と、
前記画像データ格納手段に格納された画像データの一覧表示を第２の表示形式により生成する第２の一覧表示生成手段と、
操作手段からの切り替え指示に基づいて、前記第１の一覧表示生成手段により生成された第１の表示形式の一覧表示と、前記第２の一覧表示生成手段により生成された第２の表示形式の一覧表示とを切り替えて出力する切替手段と、
１つの画像データのみが選択されている状態において、前記切替手段から出力される一覧表示の表示形式が第１の表示形式から第２の表示形式に切り替わった場合、第１の表示形式において選択されていた１つの画像データが、第２の表示形式の一覧表示における先頭に表示されるように制御して画像データの一覧表示を表示手段に表示させる表示制御手段と、
を有する画像処理装置。
【請求項２】
前記表示制御手段は、前記第１の一覧表示生成手段により生成された第１の表示形式の一覧表示において表示されていた画像データの数と、前記第２の一覧表示生成手段により生成された第２の表示形式の一覧表示において表示される画像データの数とが同一となるように制御する請求項１記載の画像処理装置。
【請求項３】
前記第１の表示形式および前記第２の表示形式が、それぞれ、画像情報の一覧のみを表示するリスト形式、または、画像データの縮小イメージ画像を画像情報とともに表示するサムネール形式のいずれかである請求項１または２記載の画像処理装置。
【請求項４】
保存されている複数の画像データの一覧表示を、第１の表示形式と第２の表示形式とで切り替えて表示する画像データ一覧表示方法であって、
画像データ格納手段に格納された画像データの一覧表示を第１および第２の表示形式によりそれぞれ生成し、
操作手段からの切り替え指示に基づいて、前記第１の表示形式の一覧表示から前記第２の表示形式の一覧表示に切り替える際に、第１の表示形式の一覧表示において１つの画像データのみが選択されている場合、第１の表示形式において選択されていた１つの画像データが、第２の表示形式の一覧表示における先頭に表示されるように制御して画像データの一覧表示を表示手段に表示させる画像データ一覧表示方法。
【請求項５】
前記第１の表示形式の一覧表示において表示されていた画像データの数と、前記第２の表示形式の一覧表示において表示される画像データの数とが同一である請求項４記載の画像データ一覧表示方法。
【請求項６】
前記第１の表示形式および前記第２の表示形式が、それぞれ、画像情報の一覧のみを表示するリスト形式、または、画像データの縮小イメージ画像を画像情報とともに表示するサムネール形式のいずれかである請求項４または５記載の画像データ一覧表示方法。
【発明の詳細な説明】
【技術分野】
【０００１】
本発明は、複写機、ファクシミリ、プリンタ等の画像処理装置に関し、特に、保存されている複数の画像データの一覧表示をリスト形式とサムネール形式で切り替えて表示する画像データ一覧表示方法に関する。
【背景技術】
【０００２】
スキャナ、ファックス、プリンタ等の様々な機能を有するマルチコピー機では、読み込んだ画像データをプリントするだけでなく、保存された画像データを指定して再プリント、画像合成、ページ編集（挿入、削除）等の画像処理をすることができる機能を有する。このような操作が行われる際には、保存された画像データを一覧表示させることでユーザは操作したい画像データを選択（指定）することができる。
【０００３】
このような保存された画像データを一覧表示するための方法としては、一般的に、リスト形式での表示方法とサムネール形式での表示方法がある。
【０００４】
ここで、リスト形式（または、ラダー形式）とは、文書名、登録日時等の画像情報の一覧のみを表示する表示形式である。また、サムネール形式とは、画像データの概略の縮小イメージ画像を、画像情報とともに表示する表示形式である。
【０００５】
しかし、リスト形式の表示方法では、一度に多くの画像データを表示することが可能であるが、画像データの名称、データ量、記録日時等の情報のみで内容を判断しなければならないため、保存された画像データの内容を把握することが困難である。また、サムネール形式での表示では、元の画像を縮小した画像が表示されるため、画像データの内容を把握することが可能であるが、リスト形式の表示方法と比較して表示することができる画像データの数が限られてしまうという問題がある。
【０００６】
そのため、例えば、従来の画像データ一覧表示方法としては、リスト形式の一覧表示を表示した後に、選択された画像に対応したサムネール画像データを画像データベースから抽出してモニタ画面に表示する方法が提案されている（例えば、特許文献１参照。）。
【０００７】
また、このようなリスト形式の表示方法とサムネール形式の表示方法の相違があるためリスト形式での表示とサムネール形式での表示を切り替えて表示することで、リスト形式により画像データの名称等の情報を確認し、サムネール形式でイメージを確認して画像データを選択（指定）するようにした方法が用いられている。
【０００８】
しかし、表示面積が同じ場合、一般的にリスト形式の表示方法により表示できる画像データの数は、サムネール形式の表示方法により表示できる画像データの数よいも多い。そのため、リスト形式で表示されている多数の画像データをサムネール形式で表示しようとした場合、イメージの表示領域を確保するため１ページに表示できる画像データ数がリスト形式での表示に比べて不足するという制限が生じる。よってリスト形式とサムネール形式で表示を切替える時に、表示ページ数が複数にわたるときなどでは、表示する画像データ数／位置が異なり（移動してしまい）、表示形式を切り替えた際に同一のデータを一目で関連付けて確認することが難しいという問題がある。
【０００９】
【特許文献１】特開２００４−１７２８６７号公報
【発明の開示】
【発明が解決しようとする課題】
【００１０】
上述した従来の画像処理装置では、複数の画像データの一覧表示を表示する場合、表示形式をリスト形式とサムネール形式で切り替えると、表示される画像データの位置や数が変動するため画像データの対応関係の把握がし難いという問題点があった。
【００１１】
本発明の目的は、保存された画像データの一覧表示をする際、リスト形式とサムネール形式とで表示形式を切り替えた場合でも、容易に各画像データの対応関係を容易に把握することができる画像処理装置および画像データ一覧表示方法を提供することである。
【課題を解決するための手段】
【００１２】
［画像処理装置］
上記目的を達成するために、本発明の画像処理装置は、画像データを格納するための画像データ格納手段と、
前記画像データ格納手段に格納された画像データの一覧表示を第１の表示形式により生成する第１の一覧表示生成手段と、
前記画像データ格納手段に格納された画像データの一覧表示を第２の表示形式により生成する第２の一覧表示生成手段と、
操作手段からの切り替え指示に基づいて、前記第１の一覧表示生成手段により生成された第１の表示形式の一覧表示と、前記第２の一覧表示生成手段により生成された第２の表示形式の一覧表示とを切り替えて出力する切替手段と、
前記切替手段から出力される一覧表示の表示形式が切り替わった場合、切り替わる前の表示形式において特定の位置に表示されていた画像データが、切り替わった後の表示形式において特定の位置に表示されるように制御して画像データの一覧表示を表示手段に表示させる表示制御手段とを有する。
【００１３】
本発明では、格納されている複数の画像データを一覧表示させる際に、第１の表示形式と第２の表示形式との間で表示形式が切り替えられた場合でも、各表示形式において特定の位置に表示する画像データを一致させるようにしているので、各画像データの対応関係を容易に把握することが可能となる。
【００１４】
また、本発明の画像処理装置は、画像データを格納するための画像データ格納手段と、
前記画像データ格納手段に格納された画像データの一覧表示を第１の表示形式により生成する第１の一覧表示生成手段と、
前記画像データ格納手段に格納された画像データの一覧表示を第２の表示形式により生成する第２の一覧表示生成手段と、
操作手段からの切り替え指示に基づいて、前記第１の一覧表示生成手段により生成された第１の表示形式の一覧表示と、前記第２の一覧表示生成手段により生成された第２の表示形式の一覧表示とを切り替えて出力する切替手段と、
前記切替手段から出力される一覧表示の表示形式が切り替わった場合、切り替わる前の表示形式において表示されていた画像データの数と、切り替わった後の表示形式において表示される画像データの数とを同一となるよう制御して画像データの一覧表示を表示手段に表示させる表示制御手段とを有する。
【００１５】
本発明では、格納されている複数の画像データを一覧表示させる際に、第１の表示形式と第２の表示形式との間で表示形式が切り替えられた場合でも、各表示形式において表示する画像データの数を同一とするようにしているので、各画像データの対応関係を容易に把握することが可能となる。
【００１６】
また、本発明の画像処理装置は、画像データを格納するための画像データ格納手段と、
前記画像データ格納手段に格納された画像データの一覧表示を第１の表示形式により生成する第１の一覧表示生成手段と、
前記画像データ格納手段に格納された画像データの一覧表示を第２の表示形式により生成する第２の一覧表示生成手段と、
操作手段からの切り替え指示に基づいて、前記第１の一覧表示生成手段により生成された第１の表示形式の一覧表示と、前記第２の一覧表示生成手段により生成された第２の表示形式の一覧表示とを切り替えて出力する切替手段と、
前記切替手段から出力される一覧表示の表示形式が切り替わった場合、切り替わる前の表示形式において選択されていた画像データが、切り替わった後の表示形式において特定の位置に表示されるように制御して画像データの一覧表示を表示手段に表示させる表示制御手段とを有する。
【００１７】
本発明では、格納されている複数の画像データを一覧表示させる際に、第１の表示形式と第２の表示形式との間で表示形式が切り替えられた場合でも、切り替わる前の表示形式において選択されていた画像データを切り替わった後の表示形式において特定の位置に表示するようにしているので、各画像データの対応関係を容易に把握することが可能となる。
【００１８】
好ましくは、前記特定の位置が、前記第１および第２の表示形式の一覧表示における先頭である。
【００１９】
好ましくは、前記第１の表示形式が、画像情報の一覧のみを表示するリスト形式であり、前記第２の表示形式が、画像データのイメージ画像を画像情報とともに表示するサムネール形式である。
【００２０】
［画像データ一覧表示方法］
また、本発明の画像データ一覧表示方法は、保存されている複数の画像データの一覧表示を、第１の表示形式と第２の表示形式とで切り替えて表示する画像データ一覧表示方法であって、
画像データ格納手段に格納された画像データの一覧表示を第１および第２の表示形式によりそれぞれ生成し、
操作手段からの切り替え指示に基づいて、前記第１の表示形式の一覧表示と、前記第２の表示形式の一覧表示とを切り替える際に、切り替わる前の表示形式において特定の位置に表示されていた画像データが、切り替わった後の表示形式において特定の位置に表示されるように制御して画像データの一覧表示を表示手段に表示させる。
【発明の効果】
【００２１】
以上説明したように、本発明によれば、格納されている複数の画像データを一覧表示させる際に、リスト形式とサムネール形式との間で表示形式が切り替えられた場合でも、先頭等の特定の位置に表示される画像データを一致させたり、表示する画像データの数を同一とするようにしているので、各画像データの対応関係を容易に把握することが可能となるという効果を得ることができる。
【発明を実施するための最良の形態】
【００２２】
次に、本発明の実施の形態について図面を参照して詳細に説明する。
[第１の実施形態]
図１は本発明の第１の実施形態の画像処理装置を含む画像処理システムの構成を示す図である。
図１に示すように、画像処理システムは、ネットワーク１４を介して接続された画像処理装置１０および端末装置１２を含む。端末装置１２は、印刷ジョブ等の印刷データを生成して、画像処理装置１０に対して送信する。画像処理装置１０は、端末装置１２から送信された印刷データを受け付けて、印刷データに応じた画像を印刷用紙上に出力する。例えば、画像処理装置１０の一例としては、マルチコピー機のような装置が考えられる。
【００２３】
マルチコピー機内にはコピー文書等を保存するための記憶装置などが備えられており、コピー実行時に文書（イメージデータ＋設定情報）情報として保存することができる。保存先は複数のコピーボックスから選択することができるようになっており、ユーザ単位で文書を整理して保存できる。
また、保存されている文書を指定して再プリント、文書合成、ページ編集（挿入、削除）などの操作をすることができるようにもなっている。このとき、保存文書を一覧表示させることでユーザは操作したい文書を選択（指定）することができる。
【００２４】
本実施形態の画像処理装置１０のハードウェア構成を図２に示す。
画像処理装置１０は、図２に示されるように、ＣＰＵ１８、メモリ２０、ハードディスクドライブ（ＨＤＤ）等の記憶装置２２、ネットワーク１４を介して外部のコンピュータなどとデータの送信及び受信を行う通信インタフェース（ＩＦ）２４、タッチパネル又は液晶ディスプレイ並びにキーボードを含むユーザインタフェース（ＵＩ）装置２６、印刷装置２８を有する。これらの構成要素は、制御バス１６を介して互いに接続されている。
【００２５】
ＣＰＵ１８は、メモリ２０または記憶装置２２に格納された画像処理プログラムに基づいて所定の処理を実行して、画像処理装置１０の動作を制御する。
【００２６】
図３は、上記の画像処理プログラムが実行されることにより実現される画像処理装置１０の機能構成を示すブロック図である。
本実施形態の画像処理装置１０には、リスト表示生成部３３と、サムネール表示生成部３４と、切替部３５と、表示制御部３６とが構成されている。なお、図３中の操作部３１および表示部３２は、図２中のＵＩ装置２６に対応している。
【００２７】
なお、ここでは説明を簡単にするため、一般的な画像処理装置に備えられている他の機能についての説明は省略する。
【００２８】
記憶装置２２は、画像データ格納手段として機能していて、ＨＤＤやメモリ等により構成され、各種の画像処理を行うための画像データを格納している。
【００２９】
表示部３２は、記憶装置２２に格納された複数の画像データの一覧表示を表示するために設けられていて、具体的にはＬＣＤ等の表示パネルにより構成される。
【００３０】
操作部３１は、表示部３２に複数の画像データの一覧表示を表示する際の表示形式を、リスト（ラダー）形式と、サムネール形式との間で切り替えるための操作や、表示された画像データの選択や各種処理の選択等の操作を行うための各種操作釦により構成される。
【００３１】
リスト表示生成部３３は、記憶装置２２に格納された画像データの一覧表示をリスト形式により生成する。
サムネール表示生成部３４は、記憶装置２２に格納された画像データの一覧表示をサムネール形式により生成する。
切替部３５は、操作部３１からの切り替え指示に基づいて、リスト表示生成部３３により生成されたリスト形式の一覧表示と、サムネール表示生成部３４により生成されたサムネール形式の一覧表示とを切り替えて表示制御部３６に出力する。
【００３２】
上記のような構成となっていることにより、本実施形態の画像処理装置では、記憶装置２２に格納されている複数の画像データを表示部２２に一覧表示させる際に、表示形式をリスト形式とサムネール形式とで切り替えることが可能となる。
【００３３】
例えば、初期設定状態ではリスト形式での一覧表示を行うように設定されている場合、切替部３５は、リスト表示生成部３３により生成されたリスト形式の一覧表示が選択されて表示制御部３６に出力される。そのため、表示制御部３６は、リスト形式の一覧表示を表示部３２に対して表示させる。
【００３４】
ここで、ユーザが操作部３１を操作することによりサムネール表示を選択した場合、切替部３５は、サムネール表示生成部３４により生成されたサムネール形式の一覧表示を表示制御部３６に出力する。そのため、表示制御部３６は、サムネール形式の一覧表示を表示部３２に対して表示させる。
【００３５】
このように、ユーザが操作部３１を操作することにより、画像データを表示部３２に表示する際の表示形式がリスト形式とサムネール形式との間で交互に切り替えられる。そして、表示形式の切り替えが簡単な操作でできることにより、ユーザは、複数の画像データの内容を一覧表示画面で切り替えて確認し、操作したい画像データを選択することができる。
【００３６】
本実施形態の画像処理装置１０では、表示制御部３６は、切替部３５から出力される一覧表示の表示形式が切り替わった場合、切り替わる前の表示形式において先頭に表示されていた画像データが、切り替わった後の表示形式において先頭に表示されるように制御して画像データの一覧表示を表示部３２に表示させる。
【００３７】
次に、本実施形態における表示制御部３６の動作を図４のフローチャートに示す。
【００３８】
先ず、記憶装置２２に格納されている画像データの一覧表示が指示された場合、リスト表示生成部３３およびサムネール表示生成部３４は、記憶装置２２から表示しようとする画像データの読み込みを行う（Ｓ１０１）。
【００３９】
ここで、初期設定としてリスト表示モードが設定されている場合、切替部３５は、リスト表示生成部３３により生成されたリスト形式の一覧表示を選択して表示制御部３６に出力することによりリスト表示モードとなる（Ｓ１０２）。
【００４０】
そして、このリスト表示モードにおいて操作部３１により表示形式の切り替え指示が行われた場合（Ｓ１０３）、切替部３５は、サムネール表示生成部３４により生成されたサムネール形式の一覧表示を選択して表示制御部３６に出力する。
【００４１】
そして、表示制御部３６は、切替部３５からのサムネール表示を表示部３２に表示させる際、リスト表示上で先頭に表示されていた画像データがサムネール表示においても先頭に表示させるように制御を行って表示部３２に表示させる（Ｓ１０４）。
このようにして表示モードは、リスト表示モードからサムネール表示モードに切り替わる（Ｓ１０５）。
【００４２】
そして、このサムネール表示モードにおいて操作部３１により表示形式の切り替え指示が行われた場合（Ｓ１０６）、切替部３５は、リスト表示生成部３３により生成されたリスト形式の一覧表示を選択して表示制御部３６に出力する。
【００４３】
そして、表示制御部３６は、切替部３５からのリスト表示を表示部３２に表示させる際、サムネール表示上で先頭に表示されていた画像データがリスト表示においても先頭に表示させるように制御を行って表示部３２に表示させる（Ｓ１０７）。
【００４４】
次に、本実施形態の画像処理装置により文書データの一覧表示が表示部３２に表示される際の例を図５に示す。
【００４５】
上記のような処理が行われることにより、表示制御部３６は、図５に示すように、記憶装置２２に格納された複数の画像データを表示部３２に一覧表示させる際に、リスト形式とサムネール形式において先頭に表示する画像データを一致させる。
【００４６】
なお、以下の説明では、表示部３２と操作部３１とが１つの操作パネルにより構成されている場合について説明する。また、記憶装置２２に格納されている画像データが文書データの場合を用いて説明する。
【００４７】
図５（ａ）に示されるリスト形式の一覧表示では、選択順が１０番目の“○○○株式会社”という文書名の文書データが先頭に表示されている。そして、この図５（ａ）に示されるリスト形式の一覧表示をサムネール形式の一覧表示に切り替えた場合、図５（ｂ）に示されるような一覧表示に切り替えられる。この図５（ｂ）に示すサムネール形式の一覧表示においても、選択順番が１０番目の“○○○株式会社”という文書名の文書データが先頭に表示されている。
【００４８】
１ページにリスト形式で表示する文書の数とサムネール形式で表示する文書の数が異なると、表示形式を切り替えることにより１ページ内に表示する文書数は変化する。このような場合でも、本実施形態のように各表示形式においてそれぞれ表示する先頭の文書を一致させることで、先頭文書を基準として、それぞれの表示形式のページの相関関係を確認できる。その結果、表示形式を切り替えたことによる文書位置（基準位置）を見失うことを防ぐことができる。さらに、表示する文書データの数を同数にしなくても、各文書の対応関係を容易に把握することができるので、表示領域を有効に使用した文書情報の表示が可能となる。
【００４９】
[第２の実施形態]
次に、本発明の第２の実施形態の画像処理装置について説明する。
本実施形態の画像処理装置の構成については、上記で説明した第１の実施形態の画像処理装置とほぼ同様な構成となっており、図３に示した表示制御部３６の処理が異なるものであるため、上記で説明した第１の実施形態を参照して本実施形態の説明を行う。
【００５０】
本実施形態では、表示制御部３６は、切替部３５から出力される一覧表示の表示形式が切り替わった場合、切り替わる前の表示形式において表示されていた画像データの数と、切り替わった後の表示形式において表示される画像データの数を一致させる。
【００５１】
次に、本実施形態の画像処理装置により文書データの一覧表示が表示部３２に表示される際の例を図６に示す。
【００５２】
本実施形態における表示制御部３６は、図６に示すように、記憶装置２２に格納された複数の文書データを表示部３２に一覧表示させる際に、リスト形式とサムネール形式において表示する文書データの数を同一とするようにする。
【００５３】
図６（ａ）に示すリスト形式の一覧表示では、６つの文書データのみが表示されている。そして、この図６（ａ）に示されるリスト形式の一覧表示をサムネール形式の一覧表示に切り替えた場合、図６（ｂ）に示されるような一覧表示に切り替えられる。この図６（ｂ）に示すサムネール形式の一覧表示においても、表示される文書データは６つであり、リスト形式の場合の文書データ数と同一となっている。
【００５４】
図６（ａ）に示すリスト形式の一覧表示では、表示面積的には６つ以上の文書データを表示することが可能である。しかし、図６（ｂ）に示すサムネール形式の一覧表示では、表示可能な文書データ数は６であるため、リスト形式の一覧表示の場合にも表示文書データ数を制限して６としているのである。
【００５５】
このように、１ページにリスト形式で表示する文書の数とサムネール形式で表示する文書の数を同数にすることにより、表示形式を切り替えたときでも１ページ内に表示する文書数が変わらないので、同一文書を一目で関連付けて確認することが可能になる。
【００５６】
例えば、選択済み文書の確認をする場合でも、選択済み文書を必ず同一ページ内で確認できるので、表示形式切り替えのたびにページ操作をして文書の関連付けする必要が無くなるい。
【００５７】
[第３の実施形態]
次に、本発明の第３の実施形態の画像処理装置について説明する。
本実施形態の画像処理装置の構成についても、上記で説明した第１の実施形態の画像処理装置とほぼ同様な構成となっており、図３に示した表示制御部３６の処理が異なるものであるため、上記で説明した第１の実施形態を参照して本実施形態の説明を行う。
【００５８】
本実施形態の画像処理装置では、表示制御部３６は、切替部３５から出力される一覧表示の表示形式がリスト形式からサムネール形式に切り替わった場合、切り替わる前の表示形式において選択されていた画像データが、切り替わった後の表示形式において先頭に表示されるように制御して画像データの一覧表示を表示部３２に表示させる。
【００５９】
次に、本実施形態における表示制御部３６の動作を図７のフローチャートに示す。図７において、図４中の構成要素と同一の構成要素には同一の符号を付し、説明を省略するものとする。
【００６０】
図７のフローチャートは、図４に示したフローチャートに対して、Ｓ１０４の処理をＳ３０４の処理に置き換え、Ｓ１０７の処理をＳ３０７の処理に置き換えたものである。
【００６１】
つまり、本実施形態における表示制御部３６は、リスト表示とサムネール表示との間で表示形式が切り替えられた場合、選択された１つの文書データがサムネール表示またはリスト表示において先頭に表示されるようにする点が、図４に示した第１の実施形態の処理とは異なっている。
【００６２】
次に、本実施形態の画像処理装置により文書データの一覧表示が表示部３２に表示される際の例を図８に示す。
【００６３】
図８（ａ）に示すリスト形式の一覧表示では、９つの文書データが表示されていて、選択順番が１０番目の“○○○株式会社”という文書名の文書データが選択された状態で先頭から８番目に表示されている。そして、この図８（ａ）に示されるリスト形式の一覧表示をサムネール形式の一覧表示に切り替えた場合、図８（ｂ）に示されるような一覧表示に切り替えられる。この図８（ｂ）に示すサムネール形式の一覧表示においては、リスト形式の一覧表示において選択されていた“○○○株式会社”という文書名の文書データが先頭に表示されている。
【００６４】
このようにリスト形式の一覧表示において選択された文書データをサムネール形式の一覧表示の際に先頭に表示することにより、選択されている文書データが表示形式を切り替えたことにより表示されなくなるという弊害を防ぐことができる。
【００６５】
例えば、各表示形式で先頭の画像データを一致させるような表示方法を用いた場合、図８（ａ）に示すリスト形式の一覧表示をサムネール形式の一覧表示に切り替えた場合、選択順番が１０番目の“○○○株式会社”という文書名の文書データは表示されなくなってしまう。つまり、リスト形式の一覧表示では、先頭から８番目に表示された“○○○株式会社”という文書データは、６つの文書データしか表示されないサムネール形式の一覧表示では表示されなくなってしまう。
【００６６】
しかし、この具体例のように、リスト形式の一覧表示において選択された文書データをサムネール形式では先頭に表示することにより、表示切り替えを行った際に選択された文書データが表示されなくなってしまうことがなくなる。
【００６７】
上記の第１から第３の実施形態によれば、リスト形式での表示とサムネール形式での表示をボタン押下で切替えることが可能な保存文書一覧表示方法において、表示形式を切替える時に、表示する文書数／位置を規定して表示される文書データの対応関係を把握し易くすることで、表示ページ数が複数にわたるときでも容易に文書を関連付けてイメージおよび文書情報を確認することができ、操作性が向上する。
【００６８】
また、上記第１から第３のいずれの実施形態においても、リスト形式での表示とサムネール形式での表示を切り替えたときでも、文書の選択状態／選択順は保持されるので、表示形式の切り替えで選択を初めからやり直す必要はない。
【００６９】
なお、上記第１から第３の実施形態では、画像データの一例として文書データの一覧表示を行う場合を用いて説明を行っているが、本発明はこのような場合に限定されるものではなく、デジタルカメラ等により撮影されたイメージ画像等の他の画像データを保存しておいて一覧表示する場合でも同様に適用することができるものである。
【００７０】
[変形例]
また、上記第１および第３の実施形態では、切り替わる前の表示形式の一覧表示において先頭に表示されていた画像データや、切り替わる前の表示形式の一覧表示において選択された画像データを、切り替わった後の表示形式の一覧表示において先頭に表示する場合を用いて説明しているが、本発明は、画像データが表示される位置は先頭に限定されるものでなない。表示形式が切り替わった前後の画像データの対応関係が容易に把握することができるのであれば、表示形式が切り替わった後に画像データを表示する位置や表示形式が切り替わる前に画像データが表示されていた位置は先頭に特定されるものではなく、特定の位置であればよい。
【００７１】
例えば、サムネール表示においては、一般的に左上部が先頭位置であると考えられるが、表示方法によっては、右上部が先頭位置となる場合もある。また、表示方法によっては、表示形式が切り替わった前後において、中央に表示される画像データ一致させたほうが対応関係が把握し易い場合は、最後尾に表示される画像データを一致させたほうが対応関係が把握し易い場合等もあることが考えられる。
【００７２】
さらに、上記実施形態では、リスト形式とサムネール形式との間で画像データの表示形式を切り替えて画像データの一覧表示を行う場合を用いて説明しているが、本発明はこのような場合に限定されるものではなく、画像データを一覧表示する際の表示形式を他の表示形式間で切り替える場合でも同様に適用することができるものである。例えば、リスト形式と、アイコン形式との間で表示形式を切り替えるような場合にも、本発明は同様に適用することが可能である。
【図面の簡単な説明】
【００７３】
【図１】本発明の第１の実施形態の画像処理装置を含む画像処理システムの構成を示す図である。
【図２】本発明の第１の実施形態の画像処理装置１０のハードウェア構成を示す図である。
【図３】本発明の第１の実施形態の画像処理装置の機能構成を示すブロック図である。
【図４】本発明の第１の実施形態の画像処理装置における表示制御部３６の動作を示すフローチャートである。
【図５】本発明の第１の実施形態の画像処理装置により文書データの一覧表示が表示部３２に表示される際の例を示す図である。
【図６】本発明の第２の実施形態の画像処理装置により文書データの一覧表示が表示部３２に表示される際の例を示す図である。
【図７】本発明の第３の実施形態の画像処理装置における表示制御部３６の動作を示すフローチャートである。
【図８】本発明の第３の実施形態の画像処理装置により文書データの一覧表示が表示部３２に表示される際の例を示す図である。
【符号の説明】
【００７４】
１０    画像処理装置
１２    端末装置
１４    ネットワーク
１６    制御バス
１８    ＣＰＵ
２０    メモリ
２２    記憶装置
２４    通信ＩＦ
２６    ＵＩ装置
２８    印刷装置
３１    操作部
３２    表示部
３３    リスト表示生成部
３４    サムネール表示生成部
３５    切替部
３６    表示制御部
Ｓ１０１〜Ｓ１０７    ステップ
Ｓ３０４、Ｓ３０７    ステップ
【図１】
0004706853.tif 000002
【図２】
0004706853.tif 000003
【図３】
0004706853.tif 000004
【図４】
0004706853.tif 000005
【図５】
0004706853.tif 000006
【図６】
0004706853.tif 000007
【図７】
0004706853.tif 000008
【図８】
0004706853.tif 000009